(57)【特許請求の範囲】
【請求項１】
第１のプラテンに取り付けられた第１の金型と、第２のプラテンに取り付けられた第２の金型とを備え、
第１のプラテンに、型開閉方向にスライド可能に移動板を取り付け、第１の金型を該移動板を介して第１のプラテンに取り付けると共に該移動板がスライドすることにより開閉可能な係合爪を該移動板に取り付ける一方、第２のプラテンに上記係合爪に係合される被係合体を取り付け、
第１の金型と第２の金型とが型閉した後、第１の金型が取り付けられている上記移動板が第１のプラテン側に相対的にスライドし、上記係合爪が閉じて上記被係合体に係合するようになした型締装置。
【請求項２】
第２のプラテンが型開閉方向に進退可能なラムシリンダを備え、上記係合爪と上記被係合体との係合状態下に該ラムシリンダを動作させて型締力を発生させるようにした請求項１記載の型締装置。
【発明の詳細な説明】
【０００１】
【発明の属する技術分野】
本発明は、金型の型閉動作のみで型閉及び型締を行うようにした成形機の型締装置に関する。
【０００２】
【従来の技術及び発明が解決しようとする課題】
成形機の型締装置においては、例えば特開平５−２６１５１０号公報に記載されているように金型の開閉動作と型締動作とを別々のアクチュエータで行うことが一般的である。しかし、このような構成の型締装置では、金型の型閉動作が完了したことを確認した後に型締動作が開始するので成形サイクルが長くなってしまう。また、開閉動作用のアクチュエータ及び型締動作用のアクチュエータが必要となるので、装置の機構が複雑になってしまう。
【０００３】
従って、本発明は、成形サイクルの高速化が可能で且つ簡単な機構の型締装置を提供することを目的とする。
【０００４】
【課題を解決するための手段】
本発明は、第１のプラテンに取り付けられた第１の金型と、第２のプラテンに取り付けられた第２の金型とを備え、
第１のプラテンに、型開閉方向にスライド可能に移動板を取り付け、第１の金型を該移動板を介して第１のプラテンに取り付けると共に該移動板がスライドすることにより開閉可能な係合爪を該移動板に取り付ける一方、第２のプラテンに上記係合爪に係合される被係合体を取り付け、
第１の金型と第２の金型とが型閉した後、第１の金型が取り付けられている上記移動板が第１のプラテン側に相対的にスライドし、上記係合爪が閉じて上記被係合体に係合するようになした型締装置を提供することにより上記目的を達成したものである。
【０００５】
【発明の実施の形態】
以下、本発明を、その好ましい実施形態に基づき図面を参照しながら説明する。図１には、本発明の成形機の型締装置１の一部断面側面図が示されている。尚、図示していないが、型締装置１の他方の側面も同様の構造となっている。本実施形態の型締装置１は、第１のプラテンとしての可動プラテン２に取り付けられた第１の金型としての可動金型３と、第２のプラテンとしての固定プラテン４に取り付けられた第２の金型としての固定金型５とを備えている。可動金型３及び固定金型５は、型閉によりそれぞれの金型の分割面が当接するように、可動プラテン２及び固定プラテン４の対向面側に配設されている。可動プラテン２には、タイバー６，６が挿通されている。タイバー６，６の両端は、固定プラテン４、及び固定プラテン４に対向して立設された固定板７にそれぞれ固定されている。
【０００６】
固定板７における固定プラテン４対向面と反対側の面には油圧シリンダ８，８が取り付けられている。油圧シリンダ８のピストンロッド８’は固定板７を貫通して、その先端が可動プラテン２の背面に固定されている。そして、油圧シリンダ８，８が動作することで、可動プラテン２はタイバー６，６に沿って型開閉方向に進退可能に移動する。
【０００７】
可動金型３は、その分割面に対する背面が移動板９に固定されている。移動板９における可動金型３の固定面の背面には、水平方向に突出する移動板支持体１０，１０が、可動プラテン２を貫通して配設されており、可動プラテン２に対して可動金型３及び移動板９を支持している。これによって、可動金型は、移動板９及び移動板支持体１０，１０を介して可動プラテン２に取り付けられる構成となっている。可動プラテン２における移動板支持体１０，１０の貫通部分にはブッシュ１１，１１が配設されており、移動板支持体１０，１０が、該貫通部分を滑らかに摺動するようになされている。これにより、移動板支持体１０，１０に支持された移動板９は、型開閉方向にスライド可能に可動プラテン２に取り付けられる。移動板支持体１０，１０の突出端は、後述するチャック支持板１２に固定されている。
【０００８】
可動プラテン２には、固定プラテン４に向けて水平に配設されたベースプレート１３が固定されている。ベースプレート１３上からは、これと直交する方向（図１では紙面に直角な方向）に突出する互いに平行な一対の案内板１３’，１３’が所定間隔を置いて形成されている。案内板１３’，１３’は何れも固定プラテン４に向けて水平に形成されている。案内板１３’の固定プラテン４側先端近傍はテーパー状になっており、案内板１３’の内面間の距離は、固定プラテン４側先端に近づくにつれて漸次大きくなっている。これにより後述するチャック爪１４ｃ，１４ｃの開閉動作が円滑に行われる。
【０００９】
案内板１３’，１３’間には係合爪としてのチャック１４が、案内板１３’，１３’に挟持された状態で配設されている。チャック１４は、本体部１４ａと、本体部１４ａの固定プラテン４側に設けられた支軸１４ｂ、１４ｂと、支軸１４ｂに支持されてそのまわりに回動可能で且つ固定プラテン４側に向けて拡開した一対のチャック爪１４ｃ，１４ｃとを備えている。各チャック爪１４ｃの略中央部には長穴が形成されており、この長穴にはベースプレート１３と直交する方向（図１では紙面に直角な方向）に突設されたピン１４ｄ，１４ｄが嵌挿されている。また、チャック１４の本体部１４ａの可動プラテン２側の端面には、水平方向に突出し且つ上述したチャック支持板１２に固定される固定ロッド１４ｅが配設されている。固定ロッド１４ｅはチャック支持板１２を貫通しており、貫通した先端部にはネジ部が形成されている。このネジ部に固定用ボルト１４ｆを螺合することでチャック１４はチャック支持板１２に支持される。固定ロッド１４ｅにはコイルばね１４ｇが外挿されている。コイルばね１４ｇの一端は本体部１４ａの可動プラテン２側の端面に当接している。また他端は固定ロッド１４ｅに外挿された押さえ部材１４ｈによって飛び出しが押さえられている。押さえ部材１４ｈは、ベースプレート１３（案内板１３’）のチャック支持板１２側の端面に当接して固定されている。
【００１０】
移動板９が、移動板支持体１０を介してチャック支持板１２に固定されていることは上述の通りであり、またチャック１４がその固定ロッド１４ｅを介してチャック支持板１２に固定されていることも上述の通りであるから、結果としてチャック１４は、これらの部材を介して移動板９に取り付け固定されていることになる。従って、移動板９が可動プラテン２に対して相対的にスライドする場合にはチャック１４も移動板９と同方向にスライドすることになる。例えば図１中矢印Ａで示す方向に移動板９がスライドする場合を考えると、チャック１４もＡ方向にスライドする。チャック１４の各チャック爪１４ｃは、移動板９がＡ方向にスライドすると、上記ピン１４ｄが該チャック爪１４ｃの略中央部に形成された長穴にガイドされて、互いに接近するように支軸１４ｂを支点として互いに逆方向に回転する。その結果、チャック爪１４ｃの閉状態が形成される。この状態からＡ方向と反対方向（即ち固定プラテン４の方向）に移動板９がスライドすると、各チャック爪１４ｃは、互いに離間するように支軸１４ｂを支点として互いに逆方向に回転する。この場合、コイルばね１４ｇの復元力が移動板９を可動プラテンから離そうとする方向に加わるので、チャック爪１４ｃは開いた状態（図１に示す状態）に復帰する。このように、チャック１４は、移動板９がスライドすることにより開閉可能に移動板９に取り付けられている。
【００１１】
固定プラテン４には、可動プラテン２に対向する面に凹陥部が形成されており、該凹陥部に型取付板１５が嵌挿されている。凹陥部と型取付板１５との間には、所定の空間が形成されていると共に該空間を外部から隔離するピストンリング１６が配設されている。また、固定プラテン４には、凹陥部と型取付板１５との空間内に外部から空気又は油を供給する供給孔（図示せず）が設けられている。更に、固定プラテン４には、これを水平方向に貫通する貫通孔が設けられており、該貫通孔には型取付板１５の固定用ロッド１７、１７が嵌挿されている。固定プラテン４における固定用ロッド１７の貫通部分にはブッシュ１８，１８が配設されており、固定用ロッド１７が、該貫通部分を滑らかに摺動するようになされている。固定用ロッド１７の先端部にはネジ部が形成されており、このネジ部は、型取付板１５における該先端部と対向する位置に設けられたネジ穴と螺合するようになされている。これによって、型取付板１５は固定用ロッド１７を介して固定プラテン４に固定されている。また、固定用ロッド１７にはコイルばね１９が外挿されている。このコイルばね１９は、固定プラテン４の背面と、固定用ロッド１７の後端部に形成されたフランジ１７’とによって飛び出しが押さえられている。固定プラテン４及び型取付板１５が上記の構成となっていることにより、上記供給孔を通じて空気又は油を供給することでラムシリンダが形成される。このラムシリンダは型開閉方向に進退可能となっている。
【００１２】
型取付板１５の可動プラテン２に対向する面には、固定金型５が取り付けられている。即ち、固定金型５は、型取付板１５を介して固定プラテン４に固定されている。
【００１３】
固定プラテン４の側部には、チャック１４と対向する位置にチャックバー固定用部材２３が配設されている。この固定用部材２３には、これを水平方向に貫通する貫通孔が形成されており、該貫通孔に被係合体としてのチャックバー２０が嵌挿されている。チャックバー２０は、２つのナット２１，２１によって固定用部材２３に固定されている。２つのナット２１，２１を用いてチャックバー２０を固定することによって、チャックバー２０のチャック１４方向への突出量を微調整することができる。チャックバー２０の先端部からやや後端寄りの部位は、先端部よりも細くなされた括れ部２０’を形成しており、該括れ部２０’にチャック１４のチャック爪１４ｃが係合するようになされている。固定用部材２３は、その後端部にフランジ２２が形成されている。このフランジ２２は固定プラテン４における可動プラテン２対向面と反対側の面に当接している。これによって、チャック１４とチャックバー２０とが係合した状態下に過大な型開力が発生した場合に、チャックバー２０が引き抜かれることが防止される。
【００１４】
次に、上記型締装置１の動作を、図１及び図２を参照して説明する。先ず、成形開始時においては、図１に示すように可動金型３及び固定金型５は型開状態にあり、またチャック１４のチャック爪１４ｃは開いた状態にある。この状態から油圧シリンダ８を動作させて、可動プラテン２をタイバー６，６に沿って固定プラテン４側に移動させ、可動金型３を固定金型５に接近させる。そして、図２（ａ）に示すように、可動金型３の分割面と固定金型５の分割面とが当接し、型閉が行われる。可動プラテン２が移動し始めてから両金型３，５の分割面同士が当接するまでの間、チャック１４は動作していない。従って、図１及び図２（ａ）に示すように、両金型３，５の分割面同士が当接するまでの間、チャック１４はチャックバー２０に係合していない。
【００１５】
両金型３，５の分割面同士が当接して型閉が行われた後にも油圧シリンダ８は更に動作を続け、可動プラテン２は、固定プラテン４側に移動する。しかし、両金型は既に型閉状態となっているので、可動金型３はもはや移動しない。その結果、可動プラテン２のみが移動し、可動プラテン２が移動板９に接近する。換言すれば、移動板９が可動プラテン側に相対的にスライドする。そして、このスライドにより、上述した動作に基づきチャック１４のチャック爪１４ｃの閉動作が開始される。移動板９が更に可動プラテン側に相対的にスライドして、最終的に移動板９と可動プラテン２とが当接した状態では、図２（ｂ）に示すように、チャック爪１４ｃがチャックバー２０の括れ部２０’に完全に係合して型締状態となる。
【００１６】
チャック１４とチャックバー２０とが係合し型締状態となったら、この状態下に固定プラテン４と型取付板１５とで形成されるラムシリンダを動作させて、型取付板１５に取り付けられている固定金型５を可動金型３の方向、即ち型閉方向に押圧して型締力を発生させる。次いで、金型内で所定の成形を行い成形体を得る。
【００１７】
上記実施形態の型締装置１によれば、型開閉動作用のアクチュエータが型締動作用のアクチュエータを兼用しているので、使用するアクチュエータの数を一つ減らすことができ、装置の機構が簡単になる。また、型閉動作のみで型閉及び型締を行うことができ、従来の型締装置を用いた場合のように型閉状態を確認してから型締動作を行う必要がないので、製造サイクルを高速化できる。
【００１８】
次に、本発明の第２の実施形態を図３を参照して説明する。尚、本実施形態については第１の実施形態と異なる点についてのみ説明し、特に説明しない点については第１の実施形態に関して詳述した説明が適宜適用される。また、図３において図１及び図２と同じ部材には同じ符号を付してある。
【００１９】
図３に示す成形機１においては、移動板９及びチャック１４が、第１のプラテンとしての固定プラテン４に取り付けられており、またチャックバー２０が第２のプラテンとしての可動プラテン２に取り付けられている。また第１の金型としての固定金型５は移動板９を介して固定プラテン４に取り付けられている。更に、可動プラテン２と型取付板１５とでラムシリンダが形成されており、第２の金型としての可動金型３が型取付板１５を介して可動プラテン２に取り付けられている。以上の点が第１の実施形態の成形機と異なる。即ち、本実施形態の成形機１においては、固定プラテン４に、型開閉方向にスライド可能に移動板９を取り付け、固定金型５を移動板９を介して固定プラテン４に取り付けると共に移動板９がスライドすることにより開閉可能なチャック１４を移動板９に取り付ける一方、可動プラテン２にチャック１４に係合されるチャックバー２０を取り付け、固定金型５と可動金型３とが型閉した後、固定金型５が取り付けられている移動板９が固定プラテン４側に相対的にスライドし、チャックバー１４におけるチャック爪１４ｃが閉じてチャックバー２０における括れ部２０’に係合するようになされている。斯かる構成の成形機１を用いても第１の実施形態の成形機と同様の効果が奏される。尚、第１の実施形態の型締動作においては、移動板が止まっており、プラテン（可動プラテン）がスライドするが、本実施形態では移動板がスライドし、プラテン（固定プラテン）が止まっている点で異なっている。しかし、何れの実施形態においても、移動板が、それが取り付けられているプラテンに対して相対的にスライドすることに変わりはない。
【００２０】
【発明の効果】
本発明の型締装置は、金型の型閉動作のみで型閉及び型締を行うようにしてあるので、装置の機構が簡単となり、また成形サイクルが高速化する。
【図面の簡単な説明】
【図１】本発明の成形機の型締装置の一実施形態を示す一部断面側面図である。
【図２】図２（ａ）は、型閉動作が開始して固定金型と可動金型とが型閉した状態を示し、図２（ｂ）は型閉した後、チャックとチャックバーとが係合した状態示す図である。
【図３】本発明の成形機の型締装置の他の実施形態を示す一部断面側面図（図１相当図）である。
【符号の説明】
１  型締装置
２  可動プラテン
３  可動金型
４  固定プラテン
５  固定金型
９  移動板
１４  チャック
１４ｃチャック爪
２０  チャックバー
２０  括れ部
【図１】
0003804739.tif 000002
【図２】
0003804739.tif 000003
【図３】
0003804739.tif 000004